(57)【特許請求の範囲】
【請求項１】
盛土又は切土における法面区域に、防草シートに基づいて形成された防草構造体を施工する施工方法であって、
前記法面区域の下部に配置されたＵ字形状の第１の構造体に、防水性を有する改質アスファルト系防草シートの第１の端部を固定する工程と、前記法面区域の上部に配置され、前記法面区域の上部に凸形状となるように配置される第２の構造体に、前記防草シートの第２の端部を固定する工程と、を有し、
前記第１の端部は、第１の構造体の法面側内壁に沿って少なくとも第１の所定寸法以上の幅で当該法面側内壁を覆い、且つ、当該第１の端部は、第１の構造体の法面側内壁と、防草シート自体の融着、接着材による接着、及び両面接着テープによる接着の何れかで固定され、
前記第２の端部は、第２の構造体の法面側壁面に沿って少なくとも第２の所定寸法以上の幅で当該法面側壁面を覆い、且つ、当該第２の端部は、第２の構造体の法面側壁面と、当該第２の端部を貫通して打ち込まれる第１の釘状器具で固定され、当該第１の釘状器具は、第２の構造体の形成方向に沿って間欠的に打ち込まれる
防草構造体の施工方法。
【請求項２】
前記第１の端部は、第１の構造体の法面側上面と、当該第１の端部を貫通して打ち込まれる第１の釘状器具で固定され、
当該第１の釘状器具は、第１の構造体の形成方向に沿って間欠的に打ち込まれる
請求項１に記載の防草構造体の施工方法。
【請求項３】
前記第２の構造体は侵入防止用側壁であり、当該侵入防止用側壁が前記法面側壁面を有する、請求項１又は２に記載の防草構造体の施工方法。
【請求項４】
前記法面区域に前記防草シートを固定する工程を有する
請求項１〜３のいずれか１項に記載の防草構造体の施工方法。
【請求項５】
請求項１〜４のいずれか１項に記載の施工方法により形成される防水構造体。
【発明の詳細な説明】
【技術分野】
【０００１】
本発明は、盛土又は切土の法面区域に形成される防草シートを含む防草構造体及び防草構造体の施工方法に関する。
【背景技術】
【０００２】
道路、線路等は、盛土の両脇の斜面（法面）に挟まれた上部や、切土の両脇の斜面（法面）に挟まれた下部に形成されることがある。その盛土や切土の両脇の斜面（法面）は、土を露出すると、法面に雑草等が生い茂り美観が損なわれたり、道路の路肩と法肩または法尻との間の雑草が道路側に伸びることにより通行人や通行車両の安全が損なわれたりする可能性がある。そのため、路肩およびそれに隣接する法面には、予め美観を良くするように植栽したり、雑草などの草の成育を防止させるための防草シートを敷設したりすることがある。なお、本明細書における「法面」とは、道路や線路およびこれらの周辺の法面、盛土や切土等でできた法面、段差のある２つの地表面の間の法面などを意味する。
【０００３】
草の成育を防止するためには、例えば、特許文献１に開示されているような防草シートが用いられている。
【０００４】
草の成育を防止するための構造体として、例えば、特許文献２には、法面部上端の路肩部に布設されるコンクリートブロック部と、そのコンクリートブロック部の法面側に一端部が一体的に固定された防草シート部とからなり、コンクリートブロック部を路肩部に布設した状態で、防草シート部を法面部上に展開して法面部を被覆可能とした路肩ブロックが開示されている。
【０００５】
また、特許文献３には、シート両面に多数の凸部を交互に形成した遮光性かつ遮水性の合成樹脂製エンボスシート（防草シート）を、除草や剪定すべき地面に敷設、固定したことを特徴とする防草構体が開示されている。この特許文献３には、路肩にガードレールがある場合には、ガードレール支柱と、エンボスシート（防草シート）に形成したガードレール支柱の挿通孔との隙間に、コーキング材を詰めることが開示されている。
【先行技術文献】
【特許文献】
【０００６】
【特許文献１】特開２００２−２７２３４８号公報
【特許文献２】特開２００５−３０７５１８号公報
【特許文献３】特開２００６−１７７１２２号公報
【発明の概要】
【発明が解決しようとする課題】
【０００７】
従来、法尻に隣接する構造体がＵ字形状の構造体（例えばＵ形側溝（Ｕ字溝））である場合、Ｕ字形状の構造体の法面側上面に防草シートの端部を固定する方法が用いられていた。しかしながら、この方法では、当該構造体の法面側上面の幅が狭いため、当該上面と防草シート端部の固定部分に隙間ができたり、捲れたりした場合、その隙間から太陽光が入射して雑草が生えてくる懸念があり、さらなる改良が必要であった。
【０００８】
そこで、本発明は、防草シートの端部をＵ字形状の構造体の法面側内壁に沿って所定寸法以上の幅で当該内壁に接するように折り曲げ、防草シート自体の融着、接着材による接着、及び両面接着テープによる接着の何れかで固定する工程を有する防草構造体の施工方法及び当該施工方法により形成される防草構造体を提供することを目的とする。
【課題を解決するための手段】
【０００９】
上記目的を達成するために、本発明に係る防草構造体の施工方法は、盛土又は切土における法面区域に、防草シートに基づいて形成された防草構造体を施工する施工方法であって、法面区域の下部に配置されたＵ字形状の第１の構造体に、防水性を有する改質アスファルト系防草シートの第１の端部を固定する工程を有し、第１の端部は、第１の構造体の法面側内壁に沿って少なくとも第１の所定寸法以上の幅で覆われ、且つ、第１の端部は、第１の構造体の法面側内壁と、防草シート自体の融着、接着材による接着、及び両面接着テープによる接着の何れかで固定される。
【００１０】
本態様の防草構造体の施工方法によれば、防草シートの端部をＵ字形状の構造体の法面側内壁に沿って所定寸法以上の幅で当該構造体の法面内壁と一体化して固定できるので、太陽光の入射を防ぐことが可能となり、雑草の発生を防止できる。
【００１１】
本発明の防草構造体の施工方法の好ましい態様［（１）〜（７）］を以下に示す。本発明では、これらの態様を適宜組み合わせることがより好ましい。
【００１２】
（１）第１の端部は、第１の構造体の法面側上面と、第１の端部を貫通して打ち込まれる第１の釘状器具で固定され、第１の釘状器具は、第１の構造体の形成方向に沿って間欠的に打ち込まれることが好ましい。これにより、より強固に防草シートを固定することができる。
【００１３】
（２）法面区域の上部に配置された構造体に、防草シートの第２の端部を固定する工程を有することが好ましい。これにより、防草シートを法面区域により確実に固定できる。
【００１４】
（３）上部に配置された構造体が、壁面を有する第２の構造体であり、第２の端部は、第２の構造体の法面側壁面に沿って少なくとも第２の所定寸法以上の幅で覆われて固定されることが好ましい。これにより、より確実に防草シートを固定できる。
【００１５】
（４）第２の端部は、第２の構造体の法面側壁面と、第２の端部を貫通して打ち込まれる第１の釘状器具で固定され、第１の釘状器具は、第２の構造体の形成方向に沿って間欠的に打ち込まれることが好ましい。これにより、防草シートを法面区域により確実に固定できる。
【００１６】
（５）上部に配置された構造体が、埋設され上面が露出する第３の構造体であり、第２の端部は、第３の構造体の法面側上面に沿って少なくとも第３の所定寸法以上の幅で覆われて固定されることが好ましい。これにより、より確実に防草シートを固定できる。
【００１７】
（６）第２の端部は、第３の構造体の法面側上面と、第２の端部を貫通して打ち込まれる第１の釘状器具で固定され、第１の釘状器具は、第３の構造体の形成方向に沿って間欠的に打ち込まれることが好ましい。これにより、防草シートを法面区域により確実に固定できる。
【００１８】
（７）上部に配置された構造体が、埋設されたＵ字形状の第４の構造体であり、第２の端部は、第４の構造体の法面側内壁に沿って少なくとも第１の所定寸法以の幅で覆われて固定されることが好ましい。これにより、より確実に防草シートを固定できる。
【００１９】
（８）第２の端部は、第４の構造体の法面側内壁と、防草シート自体の融着、接着材による接着、及び両面接着テープによる接着の何れかで固定されることが好ましい。これにより、防草シートの端部をＵ字形状の構造体の法面側内壁に沿って所定寸法以上の幅で当該構造体の法面内壁と一体化して固定できるので、太陽光の入射を防ぐことが可能となり、雑草の発生を防止できる。
【００２０】
（９）第２の端部は、第４の構造体の法面側上面と、第２の端部を貫通して打ち込まれる第１の釘状器具で固定され、第１の釘状器具は、第４の構造体の形成方向に沿って間欠的に打ち込まれることが好ましい。これにより、より強固に防草シートを固定することができる。
【００２１】
（１０）法面区域に前記防草シートを固定する工程を有することが好ましい。これにより、防草シートを法面区域により確実に固定できる。
【００２２】
また、本発明の防草構造体は、上述の施工方法により施工される。本態様の防草構造体によれば、防草シートの下端部をＵ字形状の構造体の法面側内壁に沿って所定寸法以上の幅で当該構造体の法面内壁と一体化して固定する施工方法により形成されるので、太陽光の入射を防ぐことが可能となり、雑草の発生を防止できる。
【発明の効果】
【００２３】
本発明によれば、防草シートの下端部をＵ字形状の構造体の法面側内壁に沿って所定寸法以上の幅で当該構造体の法面内壁と一体化して固定することにより、太陽光の入射を防ぐことが可能となり、雑草の発生を防止できる防草構造体を提供することができる。また、上記優れた効果を有する防草構造体の施工方法を提供することができる。
【図面の簡単な説明】
【００２４】
【図１】盛土の構造物の法面区域を示した図であり、（ａ）は正面図であり、（ｂ）は図１（ａ）のＭ−Ｍ線断面図である。
【図２】本発明の第１の実施形態に係る盛土の構造物の法面区域における防草構造体を示した図であり、（ａ）は正面図であり、（ｂ）は図２（ａ）のＭ−Ｍ線断面図である。
【図３】図１（ｂ）の法面区域下部における拡大図であり、（ａ）は防草シートが敷設される前の断面図であり、（ｂ）は防草シートが敷設された後の断面図であり、（ｃ）は防草シートが釘状器具で固定されている断面図である。
【図４】第１の参考実施形態に係る盛土の構造物の法面区域における防草構造体を示した側面方向の断面図である。
【図５】第２の参考実施形態に係る盛土の構造物の法面区域における防草構造体を示した側面方向の断面図である。
【発明を実施するための形態】
【００２５】
＜第１実施形態＞
本発明の防草構造体およびその施工方法の第１の実施形態について、図面を用いて詳細に説明する。
【００２６】
まず、本実施形態の防草構造体１の概略構成について図１〜図３を用いて説明する。図２（ａ）及び（ｂ）に示したように、本実施形態の防草構造体１は、複数の防草シート１５が、重ね合わせ接続部１９にて接続された構造となっている。このように、適宜選択した寸法の複数の防草シート１５の重ね合わせ接続部１９を、加熱融着法またはテープ接着法により張り合わせて用いることにより、本発明の防草構造体１を任意の寸法の法面６区域に合わせて設置することができる。なお、本発明の防草構造体１は、道路、線路、河川、公園あるいは造林園およびこれらの周辺の地面、表面、法面６など、防草が必要な場所であれば、どのような場所にも用いることができる。
【００２７】
また、防草構造体１は、例えば、所定寸法の防水性防草シート２０を用いて、防草区域の形状に合わせて防草シート１５を切って並べることで作成することができる。複数の防草シート１５の間に隙間ができると、そこから植物が貫通してくることがあるので、各防草シート１５の対向する端部は融着または接着される。具体的には、防草構造体１は、一の防草シート１５における、隣接する他の防草シート１５との重ね合わせ接続部１９を、防草シート１５の自己の融着、接着材による接着、および、両面接着テープによる接着、の少なくとも何れかを用いて、例えば、図１の盛土５の法面６区域上の草の成育を防止する必要がある場所の領域範囲に合わせて固定することで形成される。この複数の防草シート１５を用いることで防草構造体１の施工を容易にすることができる。
【００２８】
また、例えば、法面６区域の幅が防草シート１５より狭い場合、すなわち法面６区域の幅が一般的に１ｍ程度以下の場合には、一枚の防草シート１５を用いて防草構造体１を設置することができる。
【００２９】
より詳しくは、本実施形態の防草構造体１は、例えば図１のような盛土５における法面６区域上に、敷設場所の形状に合うように必要に応じて複数の防水性防草シート１５を、重ね合わせ接続部２３の重ね代が５０ｍｍ〜２００ｍｍとなるように隣接させて配置し、その重ね合わせ接続部２３をトーチバーナーにより溶融させてから重ね合わせることにより相互に加熱融着するか、その重ね合わせ接続部２３の間に両面に接着性の自着層（例えば特殊ゴム化アスファルト粘着層）を有するテープを挟むように挿入して転圧することで接着するように施工することで形成される。
【００３０】
なお、テープ接着法とは、両面に接着性のあるアスファルトテープを、一の防草シート１５の重ね代と隣接する防草シート１５の被接着面との間に挿入し、重ね代と被接着面との重ね合わせ接続部１９の固定を行う方法である。住宅地近傍への設置の場合や、設置箇所近傍に下草等の可燃物が多い場合など、火気の使用が制限されている場合には、テープ接着法を用いて防草シート１５を固定することが好ましい。
【００３１】
このように防草シート１５をアスファルト系とすることにより、シート同士の接着または融着が容易になるだけでなく、後述する第１の構造体１１への融着または接着が、加熱または転圧のみでも可能となる。
【００３２】
また、上記した防草シート１５の重ね合わせ接続部１９を融着または接着する方法の他に、盛土５に後述する第２の釘状器具２６等により一の防草シート１５の側端部１８を固定し、その端部における第２の釘状器具２６等よりも内側に、隣接する他の防草シート１５の端部を重ね、重なり部分を融着または接着により固定するようにしてもよい。
【００３３】
本実施形態で防水性の防草シート１５を用いる理由は、盛土５の法面６に降り注いだ雨水は、盛土５の中に浸透すると、浸透水が盛土５を脆弱にさせることがあるため、雨水は極力減少させることが望ましい。
【００３４】
しかし、防水性の防草シート１５を用いても、その各防草シート１５の隙間から雨水が浸入する場合がある。そのため、本実施形態によれば、シート端部を隣接するシートの端部との重ね合わせ接続部２３を隙間無く連続的に融着するか接着することで、複数の防水性のシートの重なった隙間への水の侵入を防いでいる。また、重ね合わせ接続部２３の防水性をより完全にするために、重ね合わせ接続部２３の隙間に、例えば、シリコンを成分に含むコーキング材又はシーリング材（シーラント）等を充填して隙間を無くしてもよい。
【００３５】
盛土５は、例えば、幹線道路、高速道路、鉄道の軌道等を敷設するために土木工事により土砂を堆積させて形成される。その場合の盛土５の上面は平面であり、道路や軌道を敷設するための路盤等が設けられると共に、それらの道路や軌道に沿った端部には、路側帯や舗道ブロック、侵入防止用側壁等が設けられ、また、法尻に沿って排水のためのＵ字形状の第１の構造体１１（例えばＵ字溝）が設けられる。
【００３６】
防草シート１５は、例えば、１ｍ×１０ｍ等の所定寸法の改質アスファルト系の防草シート１５であり、法面６区域上の防草領域の範囲に合わせて、必要に応じて切断され、重ね代を加熱融着又は接着する。本実施形態の防草シート１５は、防水性を有する改質アスファルト系防草シート１５である。従って防草構造体１は防水性を有するので、盛土５内の植物の種子や根への水分の供給を減らすことで植物が育成されにくくできる。なお、防草シート１５の寸法は、法面６区域の寸法やその他の施工条件によって、適宜選択することができる。
【００３７】
防草シート１５の側端部１８は、防草構造体１における法面６の上下方向に沿う側端部であり、風雨の浸入抑制のため、その側端部１８に沿って、その端部における固定する部分を埋設可能な寸法で掘削された溝に折り込まれ、その防草シート１５の側端部１８に沿って、釘状器具を少なくとも防草シート１５を貫通させて法面６に対して間欠的に打ち込むことで、防草シート１５の端部を盛土５の法面６区域に釘状器具で固定することができる。そして、さらに固定した後に、その溝を埋め戻している。このように防草シート１５の側端部を、法面６に釘状器具で固定することで、風による防草シート１５の浮きを抑制することに加えて、側端部を溝中で固定して埋め戻すことで、風による防草シート１５の浮きを無くすことができる。
【００３８】
防草シート１５の第１の端部１６は、法面６に敷設された防草構造体１における下側（法尻側）の端部であり、各防草シート１５の下端部である。本実施形態では、第１の端部２１は、盛土５の法面６区域の下部に配置されたＵ字形状の第１の構造体１１の法面側内壁１２を覆って固定される。固定方法としては、第１の端部１６は、Ｕ字形状の第１の構造体１１の法面側内壁１２に沿って内側に折り曲げられ、第１の所定寸法２０（例えば５０ｍｍ）以上の幅で法面側内壁１２を覆う。この折り曲げられた第１の端部１６部分の幅は、５０ｍｍ以上であれば１００ｍｍでも２００ｍｍでもよい。そして、その折り曲げられた第１の端部１６部分は、防草シート１５自体の融着、接着材による接着、及び両面接着テープによる接着のいずれかにより固定される。このように下側の第１の端部１６を第１の所定寸法２０（５０ｍｍ）以上の幅として折り曲げ固定することで、太陽光の入射を防ぐことが可能となる。
【００３９】
第１の端部１６は、Ｕ字形状の第１の構造体１１の法面側上面１３を覆うように敷設され、第１の釘状器具が第１の端部１６を貫通して打ち込まれて固定されることにより、より強固に防草シート１５を固定することができる。また、第１の釘状器具２５は、第１の構造体１１の形成方向に沿って、法面側上面１３を覆う第１の端部１６を貫通して、間欠的に打ち込まれる。
【００４０】
Ｕ字形状の第１の構造体１１は、盛土５の法面６区域の下部に配置された下部構造体であり、盛土５の下部の側溝であり、防草シート１５の下端部が固定される側溝である。第１の構造体１１の法面側内壁１２は、第１の構造体１１の両側の内壁の一方であり、盛土５の法面６区域側の内壁である。
【００４１】
防草シート１５を下部構造体に固定する場合に、上記融着または接着に加えて、さらに防草シート１５を貫通して打ち込まれる第１の釘状器具２５を、下部構造体の形成方向に沿って間欠的に追加の釘状器具として用いて固定することで、より確実に固定することができる。
【００４２】
防草シート１５の第２の端部１７は、法面６に敷設された防草構造体１における上側（法肩）の端部であり、各防草シート１５の上端部である。本実施形態では、第２の端部１７は、盛土５の法面６区域上部に配置された第２の構造体３０の法面側壁面３１を覆って固定される。固定方法としては、第２の端部１７は、第２の構造体３０の法面側壁面３１を、第２の所定寸法２１（例えば２００ｍｍ）以上の幅で覆う。この覆う幅は、２００ｍｍ以上であれば３００ｍｍでも４００ｍｍでもよい。そして、第２の端部１７部分は、防草シート１５自体の融着または接着により固定される。このように上側の上端の第２の端部１７を第２所定寸法２１以上の幅として固定することで、風雨の侵入を抑制することができる。
【００４３】
第２の端部１７は、第２の構造体３０の法面側壁面３１を覆うように敷設され、第１の釘状器具が第２の端部１７を貫通して打ち込まれて固定されることにより、より強固に防草シート１５を固定することができる。また、第１の釘状器具２５は、第２の構造体３０の形成方向に沿って、法面側壁面３１を覆う第２の端部１７を貫通して、間欠的に打ち込まれる。
【００４４】
防草シート１５を上部構造体に固定する場合に、上記融着または接着に加えて、さらに防草シート１５を貫通して打ち込まれる第１の釘状器具２５を、上部構造体の形成方向に沿って間欠的に追加の釘状器具として用いて固定することで、より確実に固定することができる。
【００４５】
第２の構造体３０は、盛土５の法面６区域の上部に凸形状となるように配置されている。例えば、侵入防止用側壁が挙げられる。
【００４６】
防草シート１５の第２の端部１７の固定と、上記した第１の端部１６の固定とを合わせることで、法面６区域に、その露出部上部から下部まで連続させて防草シート１５を設置することができる。従って、盛土５の法面６区域には草が生えず、法面での除草や剪定作業等の危険作業をする必要がなくなる。
【００４７】
第１の釘状器具２５は、例えば、コンクリート用のビス、ビスとナイロンプラグとの組み合わせ、プラグアンカー、ビスとナイロンプラグと固定ディスクとの組み合わせ等である。防草シート１５を第１の構造体１１に固定し、また、防草シート１５を第２の構造体３０に固定するために、防草シート１５を貫通して下地のコンクリートにドリル等を用いて削孔し、第１の釘状器具２５を打ち込む。プラグを用いる場合には、先にプラグを挿入してからビス等をハンマーで打ち込むか、ドライバーでねじ込む。第１の釘状器具２５の使用間隔としては、下部構造体である第１の構造体１１の法面側上面１３の形成方向に沿って、例えば０．４５ｍおきに間欠的に用いる。このように追加の釘状器具で固定することで、防草シート１５の第１の端部１６または第２の端部１７の固定をより確実にすることができる。
【００４８】
また、第１の釘状器具２５としては、オールアンカー、コンクリート釘、または測量釘なども用いることができる。オールアンカーとは、アンカー本体、打込みピン、ナットおよびワッシャーがセットになったアンカーのことである。オールアンカーの一例として、直径５ｍｍ、長さ３０ｍｍのものを用いることができる。また、オールアンカーによる固定を確実にするために、さらにオールアンカー用ディスク（例えば、厚さ１．２ｍｍ、直径４５ｍｍ）を用いることができる。また、コンクリート釘による固定を効率的にかつ確実にするために、自動釘打機を用いることが好ましい。
【００４９】
第２の釘状器具２６は、例えば、土中に埋める釘またはペグであり、折り曲げ又は金属加工によりＬ字形状又はＴ字形状等のハンマーによる打ち込みが容易な頭部を有し、反対側の先端は土中に潜り込み易いように尖端になっており、胴部分は直線形状またはスパイラル形状になっている。また、第２の釘状器具２６としてのＬ字型のピンの寸法の一例として、直径９〜１６ｍｍ、長辺の長さ２００〜８００ｍｍのものを用いることができる。例えば、第２の釘状器具２６は、防草シート１５の横方向端部を、当該端部に沿って法面６に対して間欠的な間隔で、防草シート１５を貫通させて打ち込む。これにより、盛土５の法面６区域に防草シート１５を固定できる。このように防草シート１５の側端部１８を釘状器具で法面６に固定することで、風による防草シート１５の浮きを抑制することができる。
【００５０】
＜第１の参考実施形態＞
防草構造体およびその施工方法の第１の参考実施形態について、図面を用いて詳細に説明する。
【００５１】
まず、本実施形態の防草構造体２の概略構成について図４を用いて説明する。図４に示したように、本実施形態の防草構造体２は、盛土５の法面６区域の上部に配置された構造体が第３の構造体３５であること以外は、防草構造体１と同様である。
【００５２】
防草シート１５の第２の端部１７は、法面６に敷設された防草構造体２における上側（法肩）の端部であり、各防草シート１５の上端部である。本実施形態では、第２の端部１７は、盛土５の法面６区域の上部に配置された第３の構造体３５の法面側上面３６を覆って固定される。固定方法としては、第２の端部１７は、第３の構造体３５の法面側上面３６を、第３の所定寸法２２（例えば２００ｍｍ）以上の幅で覆う。この覆う幅は、２００ｍｍ以上であれば３００ｍｍでも４００ｍｍでもよい。そして、第２の端部１７部分は、防草シート１５自体の融着または接着により固定される。このように上側の上端の第２の端部１７を第３所定寸法２２以上の幅で固定することで、風雨の侵入を抑制することができる。
【００５３】
第２の端部１７は、第３の構造体３５の法面側上面３６を覆うように敷設され、第１の釘状器具が第２の端部１７を貫通して打ち込まれて固定されることにより、より強固に防草シート１５を固定することができる。また、第１の釘状器具２５は、第３の構造体３５の形成方向に沿って、法面側上面３６を覆う第２の端部１７を貫通して、間欠的に打ち込まれる。
【００５４】
防草シート１５を上部に配置された構造体に固定する場合に、上記融着または接着に加えて、さらに防草シート１５を貫通して打ち込まれる第１の釘状器具２５を、当該構造体の形成方向に沿って間欠的に追加の釘状器具として用いて固定することで、より確実に固定することができる。
【００５５】
第３の構造体３５は、盛土５の法面６区域の上部に埋設され上部が露出する程度に配置されている。例えば、路側帯や舗道ブロックや道路等が挙げられる。
【００５６】
＜第２の参考実施形態＞
防草構造体およびその施工方法の第２の参考実施形態について、図面を用いて詳細に説明する。
【００５７】
まず、本実施形態の防草構造体３の概略構成について図５を用いて説明する。図５に示したように、本実施形態の防草構造体３は、盛土５の法面６区域の上部に配置された構造体が第４の構造体４０であること以外は、防草構造体１と同様である。
【００５８】
防草シート１５の第２の端部１７は、法面６に敷設された防草構造体２における上側（法肩）の端部であり、各防草シート１５の上端部である。本実施形態では、第２の端部１７は、盛土５の法面６区域の上部に配置されたＵ字形状の第４の構造体４０の法面側内壁４１を覆って固定される。固定方法としては、第２の端部１７は、Ｕ字形状の第４の構造体４０の法面側内壁４１に沿って内側に折り曲げられ、第１の所定寸法２０（例えば５０ｍｍ）以上の幅で法面側内壁４１を覆う。この折り曲げられた第２の端部１７部分の幅は、５０ｍｍ以上であれば１００ｍｍでも２００ｍｍでもよい。そして、その折り曲げられた第２の端部１７部分は、防草シート１５自体の融着、接着材による接着、及び両面接着テープによる接着のいずれかにより固定される。このように上側の第２の端部１７を第１の所定寸法２０（５０ｍｍ）以上の幅として折り曲げ固定することで、太陽光の入射を防ぐことが可能となる。
【００５９】
第２の端部１７は、Ｕ字形状の第４の構造体４０の法面側上面４１を覆うように敷設され、第１の釘状器具が第２の端部１７を貫通して打ち込まれて固定されることにより、より強固に防草シート１５を固定することができる。また、第１の釘状器具２５は、第４の構造体４０の形成方向に沿って、法面側上面４１を覆う第２の端部１７を貫通して、間欠的に打ち込まれる。
【００６０】
Ｕ字形状の第４の構造体４０は、盛土５の法面６区域の上部に配置された上部構造体であり、盛土５の上部の側溝であり、防草シート１５の上端部が固定される側溝である。第４の構造体４０の法面側内壁４１は、第４の構造体４１の両側の内壁の一方であり、盛土５の法面６区域側の内壁である。
【００６１】
なお、本実施形態では、防草シート１５として改質アスファルト系のものを用いたが、本発明はこれに限定されるものではなく、市販の防草シート１５から適宜選択して用いても効果を得ることができる。しかし、特に、可撓性、防水性および遮光性を有し、シート状の形状を有するものは、良好な耐久性を有することから好適に用いることができる。
【００６２】
「改質アスファルト系防草シート」とは、改質アスファルトを材料として含む防草シート１５のことをいう。改質アスファルトとしては、具体的には後述する耐貫通型防草シートの（ｂ）改質アスファルト層および（ｄ）改質アスファルト層に用いることのできる改質アスファルトと同様のものを用いることができる。改質アスファルト系防草シート１５は、建築用防水シート（改質アスファルト系防水シート）を転用して用いることができる。改質アスファルト系防草シート１０としては、単層の改質アスファルトからなるシートのみならず、２層の改質アスファルト層の間に不織布等からなる基材層を含む構造のものを用いることができる。
【００６３】
また、改質アスファルト系防草シート１５は、さらに表面層および裏面層を含むことができる。表面層は、後述する耐貫通型防草シートの（ａ）表面層と同様のものを用いることができる。また、裏面層には、合成樹脂フィルムを好適に用いることができる。合成樹脂フィルムとしては、具体的には、ＨＤＰＥフィルム（高密度ポリエチレン）およびＯＰＰフィルム（二軸延伸成形ポリプロピレン）などから選択したものを好適に用いることができる。また、後述する耐貫通型防草シートの（ｅ）裏面層と同様のものを用いることができる。
【００６４】
改質アスファルト系防草シート１５の構造の一例は、表面層、改質アスファルト層、基材層、改質アスファルト層および裏面層をこの順番で有する構造であるが、これらの層の全てを含む必要はなく、また、さらなる層を含むこともできる。
【００６５】
このように本実施形態の防草構造体およびその施工方法によれば、防草シートの下端部をＵ字形状の構造体の法面側内壁に沿って所定寸法以上の幅で当該構造体の法面内壁と一体化して固定することにより、太陽光の入射を防ぐことが可能となり、雑草の発生を防止できる防草構造体を提供することができる。また、上記優れた効果を有する防草構造体の施工方法を提供することができる。
【符号の説明】
【００６６】
１  防草構造体、
５  盛土又は切土、
６  法面、
１１  第１の構造体、
１２  法面側内壁、
１３  法面側上面、
１４  防草シート、
１５  第１の端部、
１６  第２の端部、
１７  側端部、
１９  重ね合わせ接続部、
２０  第１の所定寸法、
２１  第２の所定寸法、
２２  第３の所定寸法、
２５  第１の釘状器具、
２６  第２の釘状器具（Ｌ字ピン）、
３０  第２の構造体、
３１  法面側壁面、
３５  第３の構造体、
３６  法面側上面、
４０  第４の構造体、
４１  法面側内壁。
【図１】
0006535488.tif 000002
【図２】
0006535488.tif 000003
【図３】
0006535488.tif 000004
【図４】
0006535488.tif 000005
【図５】
0006535488.tif 000006